(57)【要約】【課題】天井埋め込み型の照明装置において、一方向に長い照射面の均斉度を高める。【解決手段】実施形態の一例である天井埋込型の照明装置１０は、軸方向一端が開口した筒状の装置本体１１と、装置本体１１の内部に設けられた発光モジュール２５と、装置本体１１の内部に設けられ、発光モジュール２５の光を透過するレンズ３０とを備える。レンズ３０には、発光モジュール２５側に向いた入射面３１の少なくとも中央に凹部３３が形成されている。照明装置１０は、装置本体１１の中心軸αに沿った第１面の第１配光曲線において、３０°〜４０°の範囲にピーク光度を有し、かつ第１面と直交する第２面の第２配光曲線において、１０°〜２０°の範囲にピーク光度を有する。【選択図】図５
2019079623.tif 000002
【特許請求の範囲】
【請求項１】
天井埋込型の照明装置であって、
軸方向一端が開口した筒状の装置本体と、
前記装置本体の内部に設けられた発光モジュールと、
前記装置本体の内部に設けられ、前記発光モジュールの光を透過するレンズと、
を備え、
前記レンズには、前記発光モジュール側に向いた入射面の少なくとも中央に凹部が形成されており、
前記装置本体の中心軸に沿った第１面の第１配光曲線において、３０°〜４０°の範囲にピーク光度を有し、
前記第１面と直交する第２面の第２配光曲線において、１０°〜２０°の範囲にピーク光度を有する、照明装置。
【請求項２】
前記第１配光曲線におけるピーク光度は、０°の光度に対して１．２倍以上である、請求項１に記載の照明装置。
【請求項３】
前記第１配光曲線におけるピーク光度は、０°の光度に対して１．４倍以上である、請求項２に記載の照明装置。
【請求項４】
前記レンズの入射面は、前記第１面に対して面対称な形状であり、かつ前記第２面に対して面対称な形状である、請求項１〜３のいずれか１項に記載の照明装置。
【請求項５】
前記レンズの入射面には、前記凹部により区分けされた凸部が複数形成されている、請求項１〜４のいずれか１項に記載の照明装置。
【請求項６】
前記凹部は、互いに直交する２本のスリット状に形成され、
前記レンズの入射面には、前記各凹部により区分けされた４つの前記凸部が形成されている、請求項５に記載の照明装置。
【請求項７】
前記レンズの入射面には、複数の前記凸部を囲んで筒状に形成された全反射面が形成されている、請求項５または６に記載の照明装置。
【請求項８】
前記中心軸を通り前記第１面と前記第２面との間に位置する第３面における前記レンズの断面において、前記全反射面の外端と前記中心軸との距離が最大となる、請求項７に記載の照明装置。
【請求項９】
前記第２面と前記第３面とがなす角度は、１０°〜４０°の範囲である、請求項８に記載の照明装置。
【請求項１０】
前記レンズの出射面は、略回転対称な面である、請求項１〜９のいずれか１項に記載の照明装置。
【発明の詳細な説明】
【技術分野】
【０００１】
本開示は、照明装置に関し、より詳しくは天井埋込型の照明装置に関する。
【背景技術】
【０００２】
天井埋込型の照明装置としては、軸方向一端が開口した筒状の装置本体と、装置本体の内部に設けられた発光モジュールとを備えた、所謂ダウンライトが広く知られている（例えば、特許文献１参照）。図９に、一般的な天井埋込型の照明装置の配光曲線および所定の照射面における照度分布を示す。図９に例示するように、一般的な天井埋込型の照明装置の配光曲線では、角度０°の装置直下で光度が最大となり、角度が大きくなるほど光度が低下する。配光特性は装置本体の中心軸に沿ったいずれの面においても略同じであり、所定の照射面における照度は照明装置の直下を中心とする略真円形状の分布となる。
【先行技術文献】
【特許文献】
【０００３】
【特許文献１】特開２０１７−１６２６９５号公報
【発明の概要】
【発明が解決しようとする課題】
【０００４】
ところで、キッチン、細長いテーブルなど、一方向に長い照射面において、均斉度の高い照明を実現したいというニーズがある。かかる照射面の均斉度を高くする手段としては、当該一方向に複数の照明装置を設置することが考えられる。しかし、複数の照明装置を設置しても、例えば照明装置の間隙に位置する領域で照度が低下し、均斉度を高くすることは容易ではない。また、照明装置の数が増えることにより設備コストが上がるという課題もある。
【０００５】
本開示の目的は、天井埋め込み型の照明装置において、一方向に長い照射面の均斉度を高めることである。
【課題を解決するための手段】
【０００６】
本開示の一態様である照明装置は、天井埋込型の照明装置であって、軸方向一端が開口した筒状の装置本体と、前記装置本体の内部に設けられた発光モジュールと、前記装置本体の内部に設けられ、前記発光モジュールの光を透過するレンズとを備え、前記レンズには、前記発光モジュール側に向いた入射面の少なくとも中央に凹部が形成されており、前記装置本体の中心軸に沿った第１面の配光曲線において、３０°〜４０°の範囲にピーク光度を有し、前記第１面と直交する第２面の配光曲線において、１０°〜２０°の範囲に第２ピーク光度を有することを特徴とする。
【発明の効果】
【０００７】
本開示の一態様によれば、天井埋め込み型の照明装置において、一方向に長い照射面の均斉度を改善できる。例えば、当該照射面の上方に本開示に係る照明装置を１つ設置することで、照射面全体を均一に明るく照らすことができる。
【図面の簡単な説明】
【０００８】
【図１】実施形態の一例である照明装置を上方から見た斜視図である。
【図２】図１中のＡＡ線断面図である。
【図３】実施形態の他の一例である照明装置の断面図である。
【図４】配光曲線および所定の照射面における照度分布の一例を示す図である。
【図５】配光曲線および所定の照射面における照度分布の他の一例を示す図である。
【図６】配光曲線および所定の照射面における照度分布の他の一例を示す図である。
【図７Ａ】実施形態の一例であるレンズを上方から見た斜視図である。
【図７Ｂ】実施形態の一例であるレンズの平面図である。
【図７Ｃ】実施形態の一例であるレンズの断面図である。
【図８Ａ】実施形態の他の一例であるレンズを上方から見た斜視図である。
【図８Ｂ】実施形態の他の一例であるレンズの平面図である。
【図８Ｃ】実施形態の他の一例であるレンズの断面図である。
【図９】従来の照明装置における配光曲線および照度分布を示す図である。
【発明を実施するための形態】
【０００９】
以下、図面を参照しながら、本開示に係る照明装置の実施形態の一例について詳細に説明する。なお、以下で説明する複数の実施形態の各構成要素を選択的に組み合わせることは当初から想定されている。
【００１０】
図１は実施形態の一例である照明装置１０を上方から見た斜視図、図２は図１中のＡＡ線断面図である。図１および図２に例示するように、照明装置１０は、軸方向一端が開口した筒状の装置本体１１と、装置本体１１の内部に設けられた発光モジュール２５と、装置本体１１の内部に設けられ、発光モジュール２５の光を透過するレンズ３０とを備える。照明装置１０は、装置本体１１の開口を鉛直下方に向けた状態で天井の埋込孔に挿入される天井埋込型の照明装置であって、一般的にダウンライトと呼ばれる。本明細書では、説明の便宜上、照明装置１０を天井に取り付けた状態で、照明装置１０の鉛直上方側を「上」、鉛直下方側を「下」とする。
【００１１】
詳しくは後述するが、レンズ３０には、発光モジュール２５側に向いた入射面３１の少なくとも中央に凹部３３が形成されている。そして、照明装置１０は、装置本体１１の中心軸αに沿った第１面の第１配光曲線において、３０°〜４０°の範囲にピーク光度を有し、第１面と直交する第２面の第２配光曲線において、１０°〜２０°の範囲にピーク光度を有する。
【００１２】
照明装置１０は、例えば住居の室内において水平な天井に取り付けられる。また、照明装置１０は住居の廊下、玄関などの天井、或いは図書館等の公共施設、デパート等の商業施設、店舗、オフィス、工場などの天井に取り付けることもできる。照明装置１０が取り付けられる天井は、建築空間の上方を区画する部位であればよい。好適な設置場所の例としては、キッチン、ダイニング等の天井であって、一方向に長い照射面の上方である。
【００１３】
照明装置１０は、装置本体１１の内部に固定され、発光モジュール２５を保持するホルダ２８を備える。ホルダ２８は、例えば中央に窓孔が形成された略円環形状の底部と、底部の外周部に立設して円筒状に形成された側壁部とを有する。ホルダ２８の底部は、側面部側から中央の窓孔に向かって上端に近づくように傾斜している。ホルダ２８の外径は、ホルダ２８が収容される部分の装置本体１１の内径より小さい。図２に示す例では、筒壁部１３の内面とホルダ２８との間に、レンズ３０の一部を挿入可能な隙間が形成され、ホルダ２８の側壁部にレンズ３０が固定されている。即ち、レンズ３０はホルダ２８を介して装置本体１１の内部に固定されている。
【００１４】
装置本体１１は、軸方向一端（以下、「下端」という場合がある）が開口した筒状体であって、筒壁部１３と、軸方向他端（以下、「上端」という場合がある）側に形成された固定部１４とを有する。固定部１４は、ホルダ２８が固定される板状の部分である。装置本体１１は、軸方向（中心軸α）に垂直な断面が略真円形状の円筒状部材であって、下端の開口に近づくほど拡径した末広がりの形状を有する。なお、装置本体１１は、円筒形状に限定されず、軸方向に垂直な断面が矩形形状の筒状体であってもよい。
【００１５】
装置本体１１は、例えばアルミニウム、鉄等を主成分とする金属材料を、プレス加工、ヘラ絞り加工、またはダイカスト成形して製造される。ただし、装置本体１１は樹脂材料で構成されてもよい。なお、本実施形態の装置本体１１はダイカスト成形で製造できる。装置本体１１の開口の周縁には円環状のフランジ部１２が形成されている。フランジ部１２は、装置本体１１の開口の周縁で径方向外側に張り出して形成され、装置本体１１の上部が埋込孔から天井裏空間に挿入された状態で天井面に沿って配置される。また、筒壁部１３には、装置本体１１の外側に張り出した複数の放熱フィン１８が設けられている。
【００１６】
筒壁部１３は、装置本体１１の上部では軸方向に沿って形成され、例えば上下方向中央部から下端に向かって次第に拡径している。特に、筒壁部１３の下端近傍は、湾曲しており拡径の程度が大きくなっている。装置本体１１の内側に向いた筒壁部１３の内面は、発光モジュール２５から出射される光の反射面となる。筒壁部１３の内面には、光の反射率を高めるために、蒸着、メッキ、スパッタリング等により金属層が形成されていてもよく、研磨等により鏡面仕上げされていてもよい。また、筒壁部１３の内面には白色顔料を含有する白色の塗膜が形成されていてもよい。
【００１７】
固定部１４は、装置本体１１の内部を２つの空間に分けるように形成されている。図２に示す例では、装置本体１１の上下方向中央よりも上端側に固定部１４が形成され、固定部１４の下面にホルダ２８が固定されている。固定部１４には、ネジ２９が挿通される貫通孔が存在する。ホルダ２８は、ネジ２９が螺合されるボス部を有し、固定部１４の上方から当該貫通孔に挿通されるネジ２９を用いて固定部１４の下面に固定される。固定部１４の下面の中央部は中心軸αに直交して平坦に形成され、ホルダ２８に保持された発光モジュール２５は当該下面の中央部に略当接した状態で配置されている。
【００１８】
照明装置１０では、固定部１４によって区切られた装置本体１１の下部に、発光モジュール２５、ホルダ２８、およびレンズ３０が収容されている。装置本体１１の下部空間は、これらの収容部となり、発光モジュール２５から出射される光の導光路となる。固定部１４によって区切られた装置本体１１の上部空間１５は、天板１６で閉じられていてもよい。天板１６は、ネジ１７を用いて装置本体１１の上端部に固定される。
【００１９】
また、照明装置１０は、板バネ構造の支持バネ１９を備える。支持バネ１９は、装置本体１１の筒壁部１３に形成されたバネ固定部２０に取り付けられ、天井裏空間において装置本体１１の径方向に延びて天井埋込孔の周囲に当接することで照明装置１０を天井に固定する。図１に示す例では、２つの支持バネ１９が装置本体１１の径方向に並んで設けられているが、支持バネ１９は３つ以上設けられてもよい。
【００２０】
発光モジュール２５は、上述の通り、ホルダ２８に保持された状態で装置本体１１の内部に収容されている。発光モジュール２５は、光源２６と、光源２６が実装される基板２７とを有する。光源２６は、基板２７上に複数配置されていてもよく、蛍光体を含む封止層で封止されていてもよい。光源２６には、例えばＬＥＤ（Ｌｉｇｈｔ  Ｅｍｉｔｔｉｎｇ  Ｄｉｏｄｅ）等の半導体発光素子が適用される。発光モジュール２５は、ホルダ２８の窓孔を通して光が出射されるように、光源２６が実装された基板２７の面を下に向けてホルダ２８内に配置される。
【００２１】
レンズ３０は、発光モジュール２５の光を十分に透過させる透明な樹脂またはガラスで構成され、発光モジュール２５の光を特定の方向に広げる機能を有する。かかる機能を実現するために、レンズ３０には、発光モジュール２５側に向いた入射面３１の少なくとも中央、即ち中心軸αが通る部分に凹部３３が形成されている。凹部３３は、入射面３１が下方に窪んだ部分であって、照明装置１０の直下に照射される光を特定の方向に配光させる。また、レンズ３０の入射面３１には、凹部３３により区分けされた凸部３４が複数形成されている。
【００２２】
図３は、実施形態の他の一例である照明装置５０の断面図である。図３に示すように、照明装置５０は、ホルダ５８およびレンズ６０の形状が、照明装置１０の場合と異なる。ホルダ５８およびレンズ６０以外の構成要素については、照明装置１０の場合と同様である。ホルダ５８は、ホルダ２８と同様に、中央に窓孔が形成された略円環形状の底部と、側壁部と、ボス部とを有し、ネジ２９を用いて固定部１４の下面に固定される。なお、ホルダ５８は、窓孔が形成された部分を除き底部が略平坦である点で、底部が傾斜したホルダ２８と異なる。
【００２３】
レンズ６０は、レンズ３０と同様に、入射面６１の少なくとも中央に形成された凹部６３と、凹部６３により区分けされた複数の凸部６４とを有し、ホルダ５８を介して装置本体１１に固定されている。レンズ３０，６０の構成の詳細については更に後述する。
【００２４】
ここで、図４〜図６を適宜参照しながら、照明装置１０，５０の配光特性、および照明装置１０，５０によって照明される照射面Ｚの照度分布について詳説する。図４〜図６は、装置本体１１の中心軸αに沿った仮想平面である第１面の第１配光曲線および一方向に長い照射面Ｚにおける照度分布の一例を示す図である。
【００２５】
なお、照明装置１０，５０が照射面Ｚの中心Ｚｃの真上に配置されているものとする。照射面Ｚは、天井から１５５０ｍｍ離れた７００ｍｍ×１６００ｍｍの矩形形状の照射面であって、天井と照射面Ｚは互いに平行とする。
【００２６】
図４〜図６に示すように、照明装置１０，５０は、中心軸αに沿った第１面の第１配光曲線において、３０°〜４０°の範囲にピーク光度を有する。即ち、照明装置１０，５０の第１面において、装置の直下方向から３０°〜４０°傾いた角度の範囲で光度値が最大となる。照明装置１０，５０は、当該第１面が照射面Ｚの長手方向に沿うように、照射面Ｚの中心Ｚｃの真上に取り付けられる。他方、照明装置１０，５０は、第２面の第２配光曲線において、１０°〜２０°の範囲にピーク光度を有する。第２面とは、中心軸αに沿った面であって第１面と直交する仮想平面である。照明装置１０，５０は、当該第２面が照射面Ｚの短手方向に沿うように、照射面Ｚの中心Ｚｃの上方に取り付けられる。
【００２７】
上記第１配光曲線において、３０°〜４０°の範囲にピーク光度を設定することで、照明装置１０，５０から出射される光を装置の直下方向（照射面Ｚの中心Ｚｃ）から照射面Ｚの長手方向両端部の方向に広げることができる。このため、照射面Ｚを照らす照明装置１０，５０の光は照射面Ｚの長手方向に長い略楕円形状となり、従来の一般的な照明装置を用いた場合と比べて照射面Ｚの均斉度を高めることができる。例えば、図４〜図６に示す例において、領域Ａでは２５０ｌｘ以上３００ｌｘ未満の照度が得られ、領域Ｂでは２００ｌｘ以上２５０ｌｘ未満の照度が得られる。
【００２８】
上記第１配光曲線におけるピーク光度（以下、「ピーク光度Ｐ１」とする）は、０°の光度（以下、「光度Ｐ０」とする）に対して１．１倍以上が好ましく、１．２倍以上がより好ましく、１．４倍以上が特に好ましい。３０°〜４０°の範囲に存在するピーク光度Ｐ１の光度Ｐ０に対する倍率の上限は、例えば１．８倍である。当該倍率の好適な範囲としては、１．２倍〜１．８倍、１．４倍〜１．８倍、１．２倍〜１．５倍等が例示できる。光度Ｐ０に対するピーク光度Ｐ１の倍率を当該範囲に設定することで、照射面Ｚにおいて高い均斉度を実現することが容易になる。
【００２９】
照明装置１０，５０の第１面における光度は、装置の直下方向（角度０°）からピーク光度Ｐ１を示す角度の範囲において、角度が大きくなるにつれて次第に強くなることが好ましい。例えば、１５°の光度は光度Ｐ０の１．０１倍〜１．１５倍、３０°の光度は光度Ｐ０の１．０５倍〜１．５５倍である。光度Ｐ０に対して１．２倍〜１．５倍のピーク光度Ｐ１を有する場合、光度Ｐ０に対して、１５°の光度の一例は１．０１倍〜１．０５倍、３０°の光度の一例は１．０１倍〜１．３倍である。ピーク光度Ｐ１は、３０°〜４０°の範囲に存在するが、より好ましくは３５°〜４０°の範囲に存在する。
【００３０】
照明装置１０，５０は、上述のように、照射面Ｚの短手方向に沿った第２面の第２配光曲線において、１０°〜２０°の範囲にピーク光度を有する。第２配光曲線における光度は、好ましくは１０°〜１５°の範囲、例えば１５°で最大となる。第２配光曲線は、１０°〜２０°の範囲において、第１配光曲線と同様の形状を有していてもよく、第２面の光度は角度が大きくなるにつれて次第に強くなってもよい。１５°の光度がピーク光度である場合、１５°の光度は、例えば０°の光度の１．０１倍〜１．１５倍である。
【００３１】
照明装置１０，５０の中心軸αを通り第１面と第２面の間に位置する第３面における光度は、第２配光曲線のピーク強度を示す角度より大きく、第１配光曲線のピーク強度Ｐ１を示す角度より小さな角度範囲で最大となる。或いは、ピーク強度Ｐ１を示す角度以上の角度範囲に、第３面におけるピーク光度が存在してもよい。照明装置１０，５０は、例えば、第３面の配光曲線において、４０°〜５０°の範囲にピーク光度を有する。第３面は、第１面および第２面と交差する仮想平面である。第１面と第２面との間において、第２面と第３面とがなす角度は、例えば１０°〜４０°である。換言すると、第１面と第３面とがなす角度は、例えば５０°〜８０°である。
【００３２】
照明装置１０，５０により照明される照射面Ｚにおいて、最小照度を平均照度で除した値（最小照度／平均照度）は、例えば０．７８以上であり、好ましくは０．８以上である。最小照度／平均照度≧０．８の条件を満たす場合、照射面Ｚの全体が明るく照らされていると認識され易くなる。最小照度／平均照度は、０．８５以上であってもよい。照射面Ｚでは、一般的に四隅において照度が最小となる。
【００３３】
また、照射面Ｚにおいて、最小照度を最大照度で除した値（最小照度／最大照度）は、例えば０．６８以上であり、好ましくは０．７以上である。最小照度／平均照度≧０．８で、かつ最小照度／最大照度≧０．７の条件を満たす場合、更に照射面Ｚの全体が明るく照らされていると認識され易くなる。最小照度／最大照度は、０．７５以上であってもよく、０．８以上であってもよい。照射面Ｚでは、一般的に中心Ｚｃにおいて照度が最大となる。
【００３４】
照明装置１０，５０の第１面におけるピーク光度Ｐ１、１５°の光度（Ｐ１５）、および３０°の光度（Ｐ３０）、３５°の光度（Ｐ３５）、最小照度／平均照度（Ｇ１）、および最小照度／最大照度（Ｇ２）の具体例を表１に示す。
【表１】
2019079623.tif 000003
【００３５】
照明装置１０，５０の上記配光特性は、例えば、レンズ３０，６０の機能によってそれぞれ実現される。以下、図７および図８を参照しながら、レンズ３０，６０の構成について詳説する。図７Ａ〜図７Ｃは、それぞれ、レンズ３０の斜視図、平面図、断面図である。図８Ａ〜図８Ｃは、それぞれ、レンズ６０の斜視図、平面図、断面図である。
【００３６】
図７Ａ〜図７Ｃに示すように、レンズ３０は有底円筒形状を有する。レンズ３０は、筒壁３５に形成された係合部３６とホルダ２８の係合部とが嵌合することで、ホルダ２８に固定される。レンズ３０の底部内面は、発光モジュール２５側に向いた光の入射面３１となり、上述の通り、その中央には筒壁３５が延びる方向と反対側（下方）に窪んだ凹部３３が形成されている。そして、入射面３１には、凹部３３により区分けされた凸部３４が複数形成されている。
【００３７】
入射面３１には、凹部３３が互いに直交する２本のスリット状に形成され、各凹部３３により区分けされた４つの凸部３４が形成されている。平面視で十字形に交わる２本のスリット状の凹部３３ａ，３３ｂは、いずれも直線状に形成され、中心軸αが通る入射面３１の中央で交わることが好ましい。凹部３３ａ，３３ｂによって４つに区分けされた凸部３４は、筒壁３５が延びる方向（上方）に膨出し、入射面３１の周縁部を除く広範囲に形成されている。
【００３８】
凹部３３ａ，３３ｂは互いに長さが異なり、凹部３３ａの長さは凹部３３ｂの長さよりも短くなっている。また、４つの凸部３４はいずれも、凹部３３ｂが延びる方向に長く、凹部３３ａが延びる方向に短くなっている。照明装置１０では、凹部３３ｂに沿う方向が上記第１面の面方向となり、凹部３３ａに沿う方向が上記第２面の面方向となる。
【００３９】
入射面３１は、上記第１面に対して面対称な形状であり、かつ上記第２面に対して面対称な形状である。４つの凸部３４は、全体として凹部３３ｂが延びる方向に長い平面視略矩形形状または略楕円形状に形成されており、対角に位置する凸部３４ａ，３４ｃが互いに同じ形状を有する。同様に、凸部３４ｂ，３４ｄは互いに同じ形状を有する。各凸部３４の外縁部は、緩やかに湾曲した円弧状に形成され、各凸部３４の境界部（外縁部と凹部３３が交わる部分）で小さく窪んでいる。各凸部３４の膨出の程度は、凹部３３と外縁部との間で最大となり、外縁部で最も小さくなっている。なお、レンズ３０には、複数の凸部３４を囲む後述の全反射面６７が形成されていてもよい。
【００４０】
レンズ３０の底部外面である光の出射面３２は、略回転対称な面であることが好ましい。出射面３２は、中心軸αに直交する平坦な面であってもよいが、好ましくは中心軸αに対し回転対称の凸面である。出射面３２は、入射面３１と反対側に膨出しており、中心軸αが通る出射面３２の中央で膨出の程度が最大となっている。出射面３２は、例えば、全体が緩やかに湾曲したドーム状に形成される。これにより、照明装置１０は、消灯時の外観が一般の照明装置の外観と同様となって、天井面の良好な意匠性が得られる。
【００４１】
図８Ａ〜図８Ｃに示すように、レンズ６０は有底円筒形状を有し、底部内面である入射面６１の中央に下方に窪んだ凹部６３が形成され、凹部６３により区分けされた凸部６４が複数形成されている点で、レンズ３０と共通する。また、レンズ６０は、筒壁６５に形成された係合部６６とホルダ５８の係合部とが嵌合することで、ホルダ５８に固定される。他方、レンズ６０には、中心軸αが通る入射面６１の中央のみに大きく窪んだ凹部６３が形成され、凹部６３により区分けされた２つの凸部６４ａ，６４ｂが形成されている点で、レンズ３０と異なる。
【００４２】
２つの凸部６４は、全体として平面視略円形状に形成されている。各凸部６４の膨出の程度は、いずれも凹部６３の近傍で最大となり、外縁部で最も小さくなっている。照明装置５０では、凸部６４ａ，６４ｂが並ぶ方向が上記第１面の面方向となり、凹部６３の長手方向が上記第２面の面方向となる。なお、凸部６４ａ，６４ｂの境界はレンズ３０の４つの凸部３４のように明確でなくてもよい。
【００４３】
入射面６１には、２つの凸部６４を囲んで筒状に形成された全反射面６７が形成されている。全反射面６７は、凸部６４の上端よりも高く形成され、下方に向かって拡径した末広がりの形状を有する。即ち、入射面６１の周縁部には、平面視リング状の全反射面６７が形成され、全反射面６７によって囲まれた中央部の一段凹んだ部分に凸部６４が形成されている。全反射面６７の傾斜面は、発光モジュール２５からレンズ６０に入射した光が略全反射する角度で形成されている。
【００４４】
全反射面６７の内縁部は平面視略真円形状を呈するが、外縁部は平面視略矩形形状を呈する。全反射面６７は、第１面方向よりも第２面方向に長く形成されている。また、第３面におけるレンズ６０の断面において、全反射面６７の外端６７Ｅと中心軸αとの距離が最大となることが好ましい。外端６７Ｅは、全反射面６７の下端でもある。入射面６１は、レンズ３０の場合と同様に、第１面に対して面対称な形状であり、かつ第２面に対して面対称な形状である。即ち、凸部６４ａ，６４ｂは互いに同じ形状を有する。
【００４５】
レンズ６０の底部外面である光の出射面６２は、略回転対称な面であることが好ましい。出射面６２は、中心軸αに対し回転対称の凸面であってもよいが、好ましくは中心軸αに直交する平坦な面である。ただし、出射面６２には、光散乱用の微細な凹凸が形成されていてもよく、例えば凹部６３よりも浅い凹部が多数形成されていてもよい。
【００４６】
上記構成を備えたレンズ３０，６０を用いることで、照明装置１０，５０の上記配光特性を実現でき、一方向に長い照射面Ｚの均斉度を大きく改善できる。照射面Ｚの上方に照明装置３０，６０を１つ設置することで、照射面Ｚの全体を均一に明るく照らすことができる。なお、レンズ３０，６０の適用は、照明装置１０，５０の上記配光特性を実現するための手段の一例である。
【符号の説明】
【００４７】
１０，５０  照明装置、１１  装置本体、１２  フランジ部、１３  筒壁部、１４  固定部、１５  上部空間、１６  天板、１７，２９  ネジ、１８  放熱フィン、１９  支持バネ、２０  バネ固定部、２５  発光モジュール、２６  光源、２７  基板、２８，５８  ホルダ、３０，６０  レンズ、３１，６１  入射面、３２，６２  出射面、３３，６３  凹部、３４，６４  凸部、３５，６５  筒壁、３６，６６  係合部、６７  全反射面、α  中心軸
【図１】
2019079623.tif 000004
【図２】
2019079623.tif 000005
【図３】
2019079623.tif 000006
【図４】
2019079623.tif 000007
【図５】
2019079623.tif 000008
【図６】
2019079623.tif 000009
【図７Ａ】
2019079623.tif 000010
【図７Ｂ】
2019079623.tif 000011
【図７Ｃ】
2019079623.tif 000012
【図８Ａ】
2019079623.tif 000013
【図８Ｂ】
2019079623.tif 000014
【図８Ｃ】
2019079623.tif 000015
【図９】
2019079623.tif 000016